(57)【特許請求の範囲】
【請求項１】
ファンネル形状の一対のコアと、一対の垂直変更コイルと、一対の水平偏向コイルと、前記垂直偏向コイルと水平偏向コイルの間に介在させた絶縁枠と、前記絶縁枠の大径側の対向位置に設けられた不要輻射を防止するための一対のキャンセルコイルと、前記キャンセルコイルを収納するコイルボビンと、前記キャンセルコイルの始端と終端の２本のリード線がそれぞれ接続される前記絶縁枠に設けられた端子と、前記コイルボビンの側面に設けられＴ字形状を２段重ねた形状で前記Ｔ字形状の根元の各々に前記２本のリード線を巻き付けたリブと、を具備したことを特徴とする偏向ヨーク。
【発明の詳細な説明】
【０００１】
【発明の属する技術分野】
本発明は、不要輻射（漏洩磁束）を防止するキャンセルコイルを備えた偏向ヨークに関する。
【０００２】
【従来の技術】
図３の従来の偏向ヨークの側面図に示すように、従来のこの種の偏向ヨーク１は、一対の垂直偏向コイルおよび一対の水平偏向コイル（図示せず）と、偏向ヨーク１の外側に配置した配線用の端子板２と、この端子板２に突設した端子３と、偏向ヨーク１の径大部の外側に配置したコイルボビン４と、このコイルボビン４に収容され不要輻射（漏洩磁束）を防止するキャンセルコイル（図示せず）と、このコイルボビン４のキャンセルコイルの引き出し口５より引き出され、前記の端子３に接続された２本のキャンセルコイルのリード線６を備えている。そして、コイルボビン４の引き出し口５からキャンセルコイルのリード線６を引き回し、端子板２の端子３に接続している。
【０００３】
前記キャンセルコイルの２本のリード線６は、ばらけないように互いによじっており、さらに２本のリード線６間が広くなったループ形状を形成せず、キャンセルコイルの２本のリード線６の位置関係に起因する不要輻射のＶＬＭＦ（ Very Low frequency Magnetic Field ）値の劣化やばらつきを防止するために、前記よじりの長さを長くしたり、キャンセルコイルの２本のリード線６をテープ８によりテーピングしていた。また、キャンセルコイルの配線の際、垂直偏向コイルのリード線９との間を絶縁するために、キャンセルコイルの２本のリード線６は、絶縁チューブ７内に収容されている。
【０００４】
【発明が解決しようとする課題】
このような従来の偏向ヨークにおいては、キャンセルコイルの２本のリード線６のばらけ防止、さらには２本のリード線６間のループ形状を避けるために、図４の従来の偏向ヨークにおけるキャンセルコイルの配線を示す斜視図に示すように絶縁チューブ７に挿入されたリード線６を互いによじっているが、そのよじり工数がかかるという問題とともに、絶縁チューブ７の挿入量のばらつきが問題であった。
【０００５】
たとえば、図５の従来の偏向ヨークにおけるキャンセルコイルの配置で絶縁チューブの挿入量が長すぎた状態を示す斜視図に示すように絶縁チューブ７の挿入量が短いと、配線時、端子３の手前でリード線６が裸線になってしまうため、半田付けの際に異線間でタッチしてしまう。また、図６の従来の偏向ヨークにおけるキャンセルコイルの配線で絶縁チューブの挿入量が短かすぎた状態を示す斜視図に示すように絶縁チューブ７の挿入量が長いと、配線時、リード線６にたるみができるために２本のリード線６間にループ形状が形成されてしまい、ＶＬＭＦ値の劣化やばらつきが発生してしまうという問題点を有していた。
【０００６】
本発明は、キャンセルコイルのリード線の配線作業工数を低減し、キャンセルコイルのリード線の引き出し口の位置規制およびリード長さの規制を行い、不要輻射のＶＬＭＦ値の劣化やばらつきのない偏向ヨークを提供することを目的とする。
【０００７】
【課題を解決するための手段】
この目的を達成するために本発明は、キャンセルコイルの始端と終端の２本のリード線が、コイルボビンの側面に設けられＴ字形状を２段重ねた形状でそのＴ字形状の根元の各々に２本のリード線を巻き付けたリブと、を具備した偏向ヨークの構成としたものである。
【０００８】
この発明によれば、Ｔ字形状のリブを２段重ねにしてそのＴ字形状の根元の各々に２本のリード線の各々を巻付けることにより、２本のリード線を所定間隔を開けて一本ずつ緊締状態で保持できるので、キャンセルコイルの２本のリード線がばらけないようにお互いによじる作業が不要となり、キャンセルコイルのリード線の配線作業工数を低減できる。また、キャンセルコイルのリード線の引き出し口の位置規制、およびリード線長さの規制を行うことができ、不要輻射のＶＬＭＦ値の劣化やばらつきのない偏向ヨークが得られる。
【０００９】
【発明の実施の形態】
本発明の請求項１に記載の発明は、ファンネル形状の一対のコアと、一対の垂直偏向コイルと、一対の水平偏向コイルと、前記垂直偏向コイルと水平偏向コイルの間に介在させた絶縁枠と、前記絶縁枠の大径側の対向位置に設けられた不要輻射を防止するための一対のキャンセルコイルと、前記キャンセルコイルを収納するコイルボビンと、前記キャンセルコイルの始端と終端の２本のリード線がそれぞれ接続される前記絶縁枠に設けられた端子と、前記コイルボビンの側面に設けられＴ字形状を２段重ねた形状で前記Ｔ字形状の根元の各々に前記２本のリード線を巻き付けたリブと、を具備したことを特徴とする偏向ヨークであり、Ｔ字形状のリブを２段重ねにしてそのＴ字形状の根元の各々に２本のリード線の各々を巻付けることにより、２本のリード線を所定間隔を開けて一本ずつ緊締状態で保持できるので、キャンセルコイルの２本のリード線がばらけないようにお互いによじる作業が不要となり、キャンセルコイルのリード線の配線作業工数を低減できるという作用を有する。また、絶縁チューブの挿入量の位置規制ができて２本のリード線の配線長さを規制できるという作用を有する。
【００１２】
以下、本発明の実施の形態について、図面を参照して説明する。
（実施の形態１）
図１は本発明の実施の形態１の偏向ヨークにおけるキャンセルコイルの配線を示す側面図、図２は同偏向ヨークにおけるキャンセルコイルのリード線を保持する巻付けリブの斜視図である。
【００１３】
図１および図２において、１０はファンネル形状の一対のコア１１と、コア１１の内側に配置された一対の垂直偏向コイル（図示せず）と、前記垂直偏向コイルの内側に配置された一対の水平偏向コイル（図示せず）と、垂直偏向コイルと水平偏向コイルの間に絶縁枠１２を介在させて備えている偏向ヨーク、１３は絶縁枠１２に設けた配線用の端子板、１４は端子板１３に設けた複数の端子、１５は絶縁枠１２の大径側の対向位置に設けられ、不要輻射を防止するためのキャンセルコイル（図示せず）をそれぞれ収容させている一対のコイルボビン、１６は一対のコイルボビン１５から導出したキャンセルコイルの２本のリード線、１７は前記コイルボビン１５の周部の側面に張り出るように設けられ、前記２本のリード線１６を保持するＴ字形状の巻付けリブ、１８は前記キャンセルコイルのリード線１６を絶縁する絶縁チューブ、１９は２本の絶縁チューブ１８を平行に束縛するテープ、２０は垂直偏向コイルのリード線である。
【００１４】
前記の各構成部材よりなる偏向ヨーク１０について、そのキャンセルコイルのリード線１６の配線を以下に説明する。
【００１５】
コイルボビン１５から導出されたキャンセルコイルの２本のリード線１６は、コイルボビン１５に設けた巻付けリブ１７に巻き付けられる。巻付けリブ１７に巻き付けられたキャンセルコイルの２本のリード線１６は、垂直偏向コイルのリード線２０と絶縁するために絶縁チューブ１８に挿入された後、端子１４にそれぞれ巻き付けられる。端子１４に巻き付けられたキャンセルコイルの２本のリード線１６は、半田付け等によって接続される。
【００１６】
ここで、キャンセルコイルの２本のリード線１６を巻付けリブ１７に巻き付ける際、２本のリード線１６が脱落しないように前記巻付けリブ１７はＴ字形状となっている。また、キャンセルコイルの２本のリード線１６を各々区別するために、巻付けリブ１７は２段の巻溝を持つ形状となっており、キャンセルコイルの一方のリード線を巻付けリブ１７の根元の巻溝に、もう一方のリード線を巻付けリブ１７の先端の巻溝にそれぞれ巻き付けている。
【００１７】
このように本発明によれば、キャンセルコイルの２本のリード線１６が巻付けリブ１７に一本ずつ緊締状態で保持されているので、キャンセルコイルの２本のリード線１６がばらけないように互いによじる作業が不要となるので、配線作業工数の低減を図ることができる。また、絶縁チューブ１８の挿入量の位置規制について、絶縁チューブ１８の端部を巻付けリブ１７に当接させることで、絶縁チューブ１８の挿入量の規制ができるので、キャンセルコイルの２本のリード線１６を端子１４に配線する際、リード線長さのばらつきに起因する異線間のタッチ防止ができ、また、不要輻射のＶＬＭＦ値の劣化やばらつきをなくすことができる。
【００１８】
【発明の効果】
以上の説明より明らかなように本発明によれば、キャンセルコイルの２本のリード線が巻付けリブに緊締状態で保持され、前記リード線を絶縁する絶縁チューブの挿入量の位置規制がされてからリード線が端子に接続されているので、配線作業工数の低減とともに、不要輻射のＶＬＭＦ値の劣化やばらつきをなくすことができるという効果が得られる。
【図面の簡単な説明】
【図１】本発明の実施の形態１の偏向ヨークにおけるキャンセルコイルの配線を示す側面図
【図２】同偏向ヨークにおけるキャンセルコイルのリード線を保持する巻付けリブ部の斜視図
【図３】従来の偏向ヨークの側面図
【図４】従来の偏向ヨークにおけるキャンセルコイルの配線を示す斜視図
【図５】従来の偏向ヨークにおけるキャンセルコイルの配線で絶縁チューブの挿入量が長すぎた状態を示す斜視図
【図６】従来の偏向ヨークにおけるキャンセルコイルの配線で絶縁チューブの挿入量が短かすぎた状態を示す斜視図
【符号の説明】
１０  偏向ヨーク
１１  コア
１２  絶縁枠
１３  端子板
１４  端子
１５  コイルボビン
１６  リード線
１７  巻付けリブ
１８  絶縁チューブ
１９  テープ
２０  垂直偏向コイルのリード線
【図１】
0003870545.tif 000002
【図２】
0003870545.tif 000003
【図３】
0003870545.tif 000004
【図４】
0003870545.tif 000005
【図５】
0003870545.tif 000006
【図６】
0003870545.tif 000007